(57)【要約】【課題】外力により取付部や取付片が変形などするのを防ぐ。【解決手段】ハウジング２１には、ブラケット１０に形成された取付片１２を抜け止め状態に保持可能な取付部３２が設けられている。ハウジング２１には、ブラケット１０において取付片１２から分岐して形成された支持片１４が差し込み可能とされ、差し込み状態ではその支持片１４を脱抜自在な状態で受ける支持部４０が設けられている。取付部３２及び支持部４０は、ハウジング２１の幅方向について互いにずれた位置に配置されている。【選択図】図６
2008300285.tif 000002
【特許請求の範囲】
【請求項１】
ブラケットに取り付けられるコネクタハウジングを備えたコネクタにおいて、
前記コネクタハウジングには、前記ブラケットに形成された取付片を抜け止め状態に保持可能な取付部が設けられるとともに、前記ブラケットにおいて前記取付片から分岐して形成された支持片が差し込み可能とされ、差し込み状態ではその支持片を脱抜自在な状態で受ける支持部が設けられ、前記取付部及び前記支持部が前記コネクタハウジングの幅方向について互いにずれた位置に配置されていることを特徴とするコネクタ。
【請求項２】
前記支持部は、前記取付部の両側方位置に少なくとも一対設置されていることを特徴とする請求項１記載のコネクタ。
【請求項３】
前記取付部は、前記コネクタハウジングにおける幅方向の中央位置に設置されていることを特徴とする請求項１または請求項２記載のコネクタ。
【請求項４】
前記コネクタハウジングには、相手コネクタを嵌合可能な嵌合空間を有するコネクタ嵌合部が設けられるとともに、そのコネクタ嵌合部には、前記嵌合空間側に張り出し、前記相手コネクタが正規とは異なる姿勢で嵌合されるのを規制可能な不正嵌合規制部が設けられており、
前記不正嵌合規制部には、肉抜き孔が開口して設けられ、この肉抜き孔内に前記支持片が差し込まれるとともにその周壁が前記支持部を構成していることを特徴とする請求項１ないし請求項３のいずれか１項に記載のコネクタ。
【請求項５】
前記コネクタハウジングには、前記コネクタ嵌合部が幅方向について複数並んで設けられるとともに、前記不正嵌合規制部が隣接する前記嵌合空間同士を仕切る隔壁を挟んだ位置にそれぞれ配置され、それら不正嵌合規制部に設けられた前記各肉抜き孔内に、前記隔壁を逃がす逃がし空間を空けて二股状に形成された前記支持片が差し込まれることを特徴とする請求項４記載のコネクタ。
【請求項６】
前記支持部は、前記支持片のうち前記逃がし空間よりも根元側部分を受けることができる長さを有していることを特徴とする請求項５記載のコネクタ。
【請求項７】
前記支持部には、前記支持片に対して係止可能な弾性係止片が設けられ、この弾性係止片と前記支持片との係止面は、前記支持片が差し込まれた状態から脱抜方向への力が作用したとき、前記弾性係止片に対して係止解除方向への分力が作用するような傾斜面として形成されていることを特徴とする請求項１ないし請求項６のいずれか１項に記載のコネクタ。
【請求項８】
前記取付部及び前記支持部は、前記コネクタハウジングの外壁面のうち、同じ壁面に設置されていることを特徴とする請求項１ないし請求項７のいずれか１項に記載のコネクタ。
【発明の詳細な説明】
【技術分野】
【０００１】
本発明は、コネクタに関する。
【背景技術】
【０００２】
従来、自動車のボディなどに固定されたブラケットに対して取り付けられるコネクタハウジングを備えたコネクタの一例として下記特許文献１に記載されたものが知られている。このものは、コネクタハウジングの外壁面に、ブラケットの取付片が差し込まれる取付部が設けられ、この取付部には、取付片に形成された係止孔に対して係止される係止突起が設けられている。ブラケットの取付片をコネクタハウジングの取付部に差し込むと、係止孔に対して係止突起が係止し、もってブラケットに対して取り付けられたコネクタが抜け止め状態に保持される。
【特許文献１】特開平１０−２２８９５０号公報
【発明の開示】
【発明が解決しようとする課題】
【０００３】
ところで、上記したようなブラケットに取り付けられるコネクタにおいて、多極化が進むと、コネクタハウジングの幅寸法が増加する傾向にある。このような幅広形状のコネクタハウジングをブラケットに取り付けた場合において、コネクタハウジングに捻るような外力が作用し、コネクタハウジングに横揺れが生じると、取付片及び取付部に対して大きな負荷がかかりやすく、取付片や取付部に変形や破損が生じる事態が懸念される。そうなると、ブラケットからコネクタが脱落する可能性もある。
【０００４】
本発明は上記のような事情に基づいて完成されたものであって、外力により取付部や取付片が変形などするのを防ぐことを目的とする。
【課題を解決するための手段】
【０００５】
本発明は、ブラケットに取り付けられるコネクタハウジングを備えたコネクタにおいて、前記コネクタハウジングには、前記ブラケットに形成された取付片を抜け止め状態に保持可能な取付部が設けられるとともに、前記ブラケットにおいて前記取付片から分岐して形成された支持片が差し込み可能とされ、差し込み状態ではその支持片を脱抜自在な状態で受ける支持部が設けられ、前記取付部及び前記支持部が前記コネクタハウジングの幅方向について互いにずれた位置に配置されている。
【０００６】
このようにすれば、コネクタハウジングをブラケットに取り付ける際には、取付片を取付部に抜け止め状態で保持させるとともに、取付片から分岐した支持片を支持部に差し込む。ここで、コネクタハウジングに捻るような外力が作用したときでも、取付部とは幅方向についてずれた位置に配された支持部により差し込まれた支持片が受けられることで、コネクタハウジングに横揺れが生じ難くなる。これにより、取付部や取付片にかかる負荷を軽減できる。しかも、差し込み状態では支持片が支持部から脱抜自在となっているから、ブラケットからコネクタハウジングを外す際の取り外し作業性も良好になる。
【０００７】
本発明の実施態様として、次の構成が好ましい。
（１）前記支持部は、前記取付部の両側方位置に少なくとも一対設置されている構成とする。このようにすれば、両支持部によってコネクタハウジングをバランスよく支持することができるので、コネクタハウジングに捻るような外力が作用したとき取付部や取付片にかかる負荷を効果的に軽減することができる。
【０００８】
（２）前記取付部は、前記コネクタハウジングにおける幅方向の中央位置に設置される構成とする。このようにすれば、コネクタハウジングに捻るような外力が作用したとき、その捻れ中心から取付部までの距離が極力小さくなるから、取付部や取付片への負荷を一層軽減することができる。
【０００９】
（３）前記コネクタハウジングには、相手コネクタを嵌合可能な嵌合空間を有するコネクタ嵌合部が設けられるとともに、そのコネクタ嵌合部には、前記嵌合空間側に張り出し、前記相手コネクタが正規とは異なる姿勢で嵌合されるのを規制可能な不正嵌合規制部が設けられており、前記不正嵌合規制部には、肉抜き孔が開口して設けられ、この肉抜き孔内に前記支持片が差し込まれるとともにその周壁が前記支持部を構成するようにする。このように、不正嵌合規制部を設けるにあたって形成される肉抜き孔の周壁を支持部として利用しているから、コネクタハウジングに支持部を専用部位として設ける必要がなく、もってコネクタハウジングの構造の簡素化を図ることができる。
【００１０】
（４）前記コネクタハウジングには、前記コネクタ嵌合部が幅方向について複数並んで設けられるとともに、前記不正嵌合規制部が隣接する前記嵌合空間同士を仕切る隔壁を挟んだ位置にそれぞれ配置され、それら不正嵌合規制部に設けられた前記各肉抜き孔内に、前記隔壁を逃がす逃がし空間を空けて二股状に形成された前記支持片が差し込まれる構成とする。このようにすれば、隔壁を挟んで配置される各肉抜き孔にわたる幅広形状の支持片によってコネクタハウジングを支持することができるから、取付部にかかる負荷を軽減するのに一層有効となる。
【００１１】
（５）前記支持部は、前記支持片のうち前記逃がし空間よりも根元側部分を受けることができる長さを有している構成とする。このようにすれば、仮に支持部によって支持片のうち二股部分のみを支持した場合と比較すると、支持片が変形し難くなる。
【００１２】
（６）前記支持部には、前記支持片に対して係止可能な弾性係止片が設けられ、この弾性係止片と前記支持片との係止面は、前記支持片が差し込まれた状態から脱抜方向への力が作用したとき、前記弾性係止片に対して係止解除方向への分力が作用するような傾斜面として形成される構成とする。このようにすれば、支持部に支持片に対して係止する弾性係止片を設けることで、コネクタハウジングをしっかりと支持することができる。その上で、ブラケットからコネクタハウジングを取り外す際には、脱抜方向へ力を作用させることで弾性係止片の係止状態が自動的に解除されるので、取り外し作業性も良好なものとなる。
【００１３】
（７）前記取付部及び前記支持部は、前記コネクタハウジングの外壁面のうち、同じ壁面に設置される構成とする。このようにすれば、仮に取付部と支持部とをコネクタハウジングにおける異なる壁面に設置した場合と比較すると、ブラケットに対する取り付け作業性が良好なものとなる。
【発明の効果】
【００１４】
本発明によれば、外力によって取付部や取付片が変形などするのを防ぐことができる。
【発明を実施するための最良の形態】
【００１５】
＜実施形態１＞
本発明の実施形態１を図１ないし図８によって説明する。本実施形態では、自動車のボディ（図示せず）に固定されたブラケット１０に対して取り付けられるコネクタ２０を示す。なお、以下では、前後方向については、図４及び図５の左方（図２手前側）を前方、同図右方（図２の奥側）を後方とし、また上下方向については、図１，図４，及び図５を基準として説明する。
【００１６】
ブラケット１０は、図１に示すように、全体として薄肉の板状をなしており、自動車のボディのうちエンジンルーム内の壁面に固定された基部１１と、基部１１から突出する取付片１２とを備えている。基部１１は、略クランク状に屈曲しており、コネクタ２０をボディから所定寸法離れた位置に保つことができる。取付片１２は、基部１１の先端から前方へ延出する片持ち状をなし、その先端部近くには、厚み方向に貫通する取付孔１３が設けられている。取付片１２は、その板面がコネクタ２０の幅方向及び前後方向とほぼ平行に形成され、基部１１における幅方向中央位置に配置されている。
【００１７】
このコネクタ２０は、図１ないし図３に示すように、雌型の相手コネクタＦ（図３において二点鎖線により示す）と嵌合可能な雄型コネクタであり、ブラケット１０に取り付けられるコネクタハウジング２１（以下、単にハウジング２１という）を有している。ハウジング２１は、合成樹脂製とされ、前後の長さ寸法よりも幅寸法の方が大きく、全体として横長な略ブロック状に形成されている。ハウジング２１は、相手コネクタＦが嵌合可能な嵌合空間２２を有するコネクタ嵌合部２３と、電線の端末に接続された雄型の端子金具（電線共々図示せず）が収容される端子収容部２４とを前後に繋いだ構成とされる。端子収容部２４には、後方から端子金具を挿入可能なキャビティ２５が複数室整列して設けられている。端子収容部２４の前端面は、コネクタ嵌合部２３の嵌合空間２２に臨んでおり、ここが相手コネクタＦとの嵌合面２４ａとなっている。
【００１８】
コネクタ嵌合部２３は、端子収容部２４から径方向外側に段付き状に張り出すとともに前方へ開口する略角筒状に形成されており、その内側に前方からの相手コネクタＦの嵌合を許容する嵌合空間２２が確保されている。コネクタ嵌合部２３を構成する周壁のうち、幅方向に沿った上側の横壁２３ａ（後記する取付部３２及び支持部４０が設置される側の壁）の幅方向中央に、相手コネクタＦを嵌合状態にロックするためのコネクタロック部２６が設けられている。コネクタロック部２６は、上側の横壁２３ａから内側に突出する突起状に形成されている。
【００１９】
この上側の横壁２３ａにおけるコネクタロック部２６の両側方位置には、相手コネクタＦが正規とは異なる不正な姿勢で嵌合されるのを規制するための不正嵌合規制部２７が一対設けられている。不正嵌合規制部２７は、コネクタロック部２６よりも幅広で、且つコネクタロック部２６よりも内側（嵌合空間２２側）に張り出して形成されている。不正嵌合規制部２７は、前後方向に沿って延びる幅広なリブ状をなし、コネクタ嵌合部２３の全長にわたる長さ寸法を有している。不正嵌合規制部２７は、コネクタ嵌合部２３を構成する周壁のうち両縦壁（後記する隔壁３０，３１を含む）からは分離され、その縦壁との間に所定の隙間２８を空けて配置されている。なお、この隙間２８には相手コネクタＦのリブが進入可能とされる。各不正嵌合規制部２７には、前方へ開口する肉抜き孔２９がそれぞれ設けられている。この肉抜き孔２９により不正嵌合規制部２７は、前方へ開口する略袋状に形成されており、その周壁がハウジング２１における他の壁状部分と同等の厚みとなっている。これにより、ハウジング２１を樹脂成形する際にひけが生じ難くなっている。
【００２０】
これらコネクタ嵌合部２３及び端子収容部２４は、幅方向に沿って４つ並んだ状態で互いに連結されている。各コネクタ嵌合部２３を構成する周壁における両縦壁のうち、隣接する嵌合空間２２同士を仕切る部分が隔壁３０，３１とされている。隔壁３０，３１のうち、ハウジング２１の幅方向中央に配される隔壁３０は、その両側方の隔壁３１よりも肉厚に形成されている。上記した各不正嵌合規制部２７は、各隔壁３０，３１を挟んだ位置にそれぞれ配置されている。なお、各コネクタ嵌合部２３及び各端子収容部２４も横長形状となっている。
【００２１】
ハウジング２１の外周壁のうち、幅方向に沿った上側の横壁２１ａ（上記コネクタ嵌合部２３の横壁２３ａを含む）には、ブラケット１０の取付片１２を抜け止め状態に保持可能な取付部３２が設けられている。取付部３２は、ハウジング２１における幅方向の中央位置において外側（上側）に突出して設置されている。取付部３２は、コネクタ嵌合部２３の全域と端子収容部２４の前半部分とにわたる長さ範囲に形成されている。また、ハウジング２１における上側の横壁２１ａのうち取付部３２の後側には、その両側方部分よりも一段高い段部が、取付部３２と同じ幅領域に形成されている。
【００２２】
取付部３２は、図１ないし図４に示すように、ハウジング２１の周壁のうち上側の横壁２１ａから立ち上がる前後方向に沿った一対の側壁３３と、両側壁３３の先端からそれぞれ内向きに張り出すとともに上記横壁２１ａとの間に隙間を空けて対向する張出壁３４と、両張出壁３４同士を部分的に繋ぐ架橋壁３５とを備える。架橋壁３５は、両張出壁３４における前端部よりも少し後寄りの位置に連結されており、両張出部３４及び架橋部３５は、上側から見てＨ字型をなしている。
【００２３】
これらハウジング２１の上側の横壁２１ａ、両側壁３３、両張出壁３４、及び架橋壁３５によって囲まれた空間は、後方へ開口するとともに後方から取付片１２が差し込み可能な取付片差込空間３６となっている。両張出壁３４及び架橋壁３５とハウジング２１の横壁２１ａとの間隔、つまり取付片差込空間３６の高さ寸法は、取付片１２の厚み寸法とほぼ同じかそれよりも少し大きくなる程度に設定される。両側壁３３間の間隔、つまり取付片差込空間３６の幅寸法は、取付片１２の幅寸法とほぼ同じかそれよりも少し大きくなる程度に設定されている。
【００２４】
架橋壁３５における幅方向の中央部からは、後方へ向けて延出する片持ち状の弾性係止片３７が設けられている。弾性係止片３７は、架橋壁３５に連結された基端部を支点として上下に弾性変形可能とされている。そして、この弾性係止片３７の先端部には、取付片１２の係止孔１３に対して係止可能な係止部３８が設けられている。係止部３８は、弾性係止片３７の先端部から内側に突出する突起状に形成され、弾性係止片３７が自然状態のときに取付片差込空間３６内に進入している。また、ハウジング２１の上側の横壁２１ａにおける前端位置には、取付片１２の先端部に係合することで、取付時においてブラケット１０に対するハウジング２１の押し込み深さを規制可能な押し込み規制部３９が一対設けられている。両押し込み規制部３９は、それぞれ両側壁３３及び両張出壁３４の前端部に連結されている。
【００２５】
さて、このコネクタ２０のブラケット１０に対する取付構造においては、ハウジング２１を横揺れ規制状態に支持するための支持片１４及び支持部４０が設けられている。このうち、支持片１４は、ブラケット１０において取付片１２から分岐して形成されている。詳しくは、支持片１４は、基部１１の先端のうち、取付片１２とは幅方向にずれた両側端位置から前方へ延出する片持ち状に形成され、取付片１２の両側方に離間した位置に一対配置されている。支持片１４は、取付片１２とほぼ同じ高さ位置に配されており、その板面が取付片１２の板面とほぼ平行で且つ同一平面上に配される。取付片１２と各支持片１４との間の間隔は、ほぼ同じに設定されている。また、支持片１４の長さ寸法は、取付片１２のそれとほぼ同じに設定されている。両支持片１４及び取付片１２は、ブラケット１０において幅方向の中央位置を中心として対称に配置されており、ブラケット１０全体としても対称形状とされている。
【００２６】
一方、支持部４０は、図１ないし図３、及び図５に示すように、上記した支持片１４が差し込み・脱抜可能とされ、ハウジング２１の外周壁のうち取付部３２と同じく上側の横壁２１ａに設置されている。詳しくは、支持部４０は、ハウジング２１の横壁２１ａのうち、取付部３２の両側方位置（取付部３２から幅方向に離間した位置）に一対設けられている。取付部３２と各支持部４０との間の間隔は、ほぼ同じとされている。両支持部４０及び取付部３２は、ハウジング２１において幅方向の中央位置を中心として対称に配置されており、ハウジング２１全体としても対称形状とされている。支持部４０は、両側の隔壁３１に対して内寄りに偏心した位置に設置されるとともに、幅方向についてその隔壁３１をまたいだ範囲にわたって形成されている。支持部４０は、ハウジング２１の全長にわたる長さ寸法を有している。
【００２７】
支持部４０は、全体として後方へ開口する袋状に形成されており、ハウジング２１における上側の横壁２１ａから立ち上がる前後方向に沿った一対の側壁４１と、両側壁４１の先端同士を繋ぐとともに上記横壁２１ａとの間に隙間を空けて対向する連結壁４２と、上記横壁２１ａの前端部から立ち上がるとともに両側壁４１及び連結壁４２の前端部を繋ぐ前壁４３とから構成される。両側壁４１及び連結壁４２は、ハウジング２１の全長にわたる長さ寸法を有している。なお、支持部４０の形成領域に関して、ハウジング２１の横壁２１ａの後部は、前部をなすコネクタ嵌合部２３の横壁２３ａと段差なく面一状に形成され、それと平行になるよう連結壁４２も真っ直ぐな形状に形成されている。
【００２８】
これらハウジング２１の上側の横壁２１ａ、両側壁４１、連結壁４２、及び前壁４３によって囲まれた空間は、後方へ開口するとともに後方から支持片１４が差し込み可能な支持片差込空間４４となっている。連結壁２とハウジング２１の横壁２１ａとの間隔、つまり支持片差込空間４４の高さ寸法は、支持片１４の厚み寸法とほぼ同じかそれよりも少し大きくなる程度に設定される。両側壁４１間の間隔、つまり支持片差込空間４４の幅寸法は、支持片１４の幅寸法とほぼ同じかそれよりも少し大きくなる程度に設定されている。
【００２９】
この支持片差込空間４４内に支持片１４が差し込まれた状態では、支持片１４は、その全周が支持部４０を構成するハウジング２１の上側の横壁２１ａ、両側壁４１、連結壁４２によって取り囲まれた状態で支持されるようになっている。支持部４０は、差し込まれた支持片１４に対して係止する部位を有しておらず、これにより支持部４０に対して支持片１４が脱抜自在となっている。また、支持部４０のうち前壁４３は、正規深さまで差し込まれた支持片１４の先端部に対して係合可能とされ、既述した取付部３２の押し込み規制部３９と共にブラケット１０に対するハウジング２１の押し込み深さを規制できるようになっている。
【００３０】
本実施形態は以上のような構造であり、続いてその作用を説明する。まず、コネクタ２０の組み付け作業を行う。組み付けに際しては、電線の端末に接続した端子金具を各キャビティ２５内に後方から挿入する。全ての端子金具を収容し、コネクタ２０の組み付けが完了したら、続いてコネクタ２０をボディに固定された状態のブラケット１０に取り付ける作業を行う。
【００３１】
取付片１２及び両支持片１４に対して、ハウジング２１の取付部３２及び両支持部４０を、高さ方向及び幅方向について位置合わせしつつ、ブラケット１０に対してハウジング２１を相対的に後方へ押し込む（操作する）。すると、先行して両支持片１４が対応する各支持部４０の支持片差込空間４４内に差し込まれ、それから取付片１２が取付部３２の取付片差込空間３６内に差し込まれる。この過程では、係止部３８が取付片１２に乗り上げることで、弾性係止片３７が一旦弾性変形される。
【００３２】
そして、取付片１２が正規深さまで差し込まれるのに伴い、図６及び図７に示すように、弾性係止片３７が復元して係止部３８が係止孔１３内に進入するとともにその孔縁に係止される。これにより、ブラケット１０に対してハウジング２１が抜け止め状態に保持され、もってコネクタ２０がブラケット１０を介してボディに固定される。このとき、支持片１４は、図８に示すように、支持片差込空間４４の奥深くまで差し込まれ、支持部４０によって全周にわたってがたつきなく支持される。その後、ハウジング２１の各コネクタ嵌合部２３の嵌合空間２２内に前方から相手コネクタＦがそれぞれ嵌合される。
【００３３】
ところで、上記したような取付状態において、ハウジング２１をその軸線周りに回動させる、つまり捻るような外力が作用する場合があり、特に本実施形態のような多極で横長なコネクタ２０においてはハウジング２１に横揺れが生じる事態が懸念される。ところが、本実施形態では、取付部３２の両側方位置に配置した両支持部４０に取付片１２から分岐して形成された支持片１４がそれぞれ差し込まれ、両支持部４０によって両支持片１４が受けられているから、上記のような外力が作用してもハウジング２１に横揺れが生じ難くなっている。これにより、外力の作用に伴って取付部３２や取付片１２にかかる負荷を軽減することができ、取付部３２や取付片１２が変形や破損するのを防止することができる。もって、ブラケット１０からコネクタ２０が不用意に脱落するような事態を回避することができる。
【００３４】
一方、メンテナンスなどの事情によってコネクタ２０をブラケット１０から取り外す場合には、取付部３２の弾性係止片３７を治具などによって強制的に弾性変形させて係止部３８と係止孔１３との係止状態を解除する。この係止解除状態に保ちつつ、ハウジング２１をブラケット１０に対して相対的に前方へ引っ張る（操作する）ことで、取付片１２が取付部３２の取付片差込空間３６から脱抜されるとともに両支持片１４が両支持部４０の支持片差込空間４４から脱抜され、もってハウジング２１がブラケット１０から取り外される。このように、取り外しにあたっては、支持片１４は支持部４０から脱抜自在となっているから、取付部３２と取付片１２との係止状態さえ解除すれば簡単にハウジング２１をブラケット１０から取り外すことができ、取り外し作業性が良好なものとなっている。
【００３５】
以上説明したように本実施形態によれば、ハウジング２１には、ブラケット１０の取付片１２を抜け止め状態に保持可能な取付部３２が設けられるとともに、取付片１２から分岐して形成された支持片１４が差し込み可能とされ、差し込み状態ではその支持片１４を脱抜自在な状態で受ける支持部４０が設けられ、これら取付部３２及び支持部４０がハウジング２１の幅方向について互いにずれた位置に配置されているから、ブラケット１０に取り付けられた状態でハウジング２１に捻るような力が作用した場合でも、取付部３２とは幅方向にずれた位置に配された支持部４０によって支持片１４が受けられることで、ハウジング２１に横揺れが生じ難くなる。これにより、外力によって取付部３２や取付片１２にかかる負荷を軽減することができ、その変形や破損を防止することができる。
【００３６】
ところで、ハウジング２１の横揺れを防止するには、例えば、抜け止め構造を有する取付片１２及び取付部３２の数を単純に増加させる方法が考えられる。しかし、それでは、ブラケット１０からハウジング２１を取り外す際に、各取付片１２及び各取付部３２の抜け止め状態を個別に解除する必要があるため、取り外し作業性が悪化する問題が生じる。その点、本実施形態では、差し込み状態で支持片１４が支持部４０から脱抜自在となっており、支持部４０が取付部３２のような抜け止め構造を有していないから、取り外し作業性を良好にすることができる。
【００３７】
上記以外にも、ハウジング２１の横揺れ防止策としては、例えば、取付片１２及び取付部３２を単純に横長形状にすることが考えられる。しかし、それでは、取付片１２及び取付部３２の各壁状部分に反りや撓みが生じ易くなり、仮に取付片１２に反りや撓みが生じると、係止孔１３に対する係止部３８の係止深さが変化し、ロック状態が不安定になるという問題がある。それ以外にも、取付部３２の壁状部分に反りや撓みが生じると、取付片差込空間３６の高さ寸法が取付片１２の厚み寸法よりも小さくなる可能性があり、そうなると取付片１２の差し込みが困難または不可能になるおそれがある。その点、本実施形態では、支持片１４を取付片１２から分岐させて互いを独立させているから、そのような問題が生じることがない。
【００３８】
また、支持部４０は、取付部３２の両側方位置に一対設置されているから、両支持部４０によって横長なハウジング２１をバランスよく支持することができる。これにより、ハウジング２１に捻るような外力が作用したとき、取付部３２や取付片１２にかかる負荷を効果的に軽減することができる。
【００３９】
また、取付部３２は、ハウジング２１における幅方向の中央位置に設置されているから、ハウジング２１に捻るような外力が作用したとき、その捻れ中心から取付部３２までの距離が極力小さくなり、取付部３２への負荷を一層軽減することができる。
【００４０】
また、取付部３２及び支持部４０は、ハウジング２１の外壁面のうち同じ壁面である横壁２３ａに設置されているから、仮に取付部３２と支持部４０とをハウジング２１における異なる壁面に設置した場合と比較すると、ブラケット１０に対する取り付け作業性が良好なものとなる。
【００４１】
＜実施形態２＞
本発明の実施形態２を図９または図１０によって説明する。この実施形態２では、支持片１４Ａ及び支持部４０Ａにセミロック構造を追加したものを示す。なお、この実施形態２では、上記した実施形態１と同じ名称の部位には、同一の符号を用いるとともにその末尾に添え字Ａを付すものとし、構造、作用及び効果について重複する説明は省略する。
【００４２】
支持片１４Ａには、図９に示すように、その厚み方向に貫通する係止孔１５が形成されている。係止孔１５の内周面における前部には、前傾したテーパ状の係止面１５ａが形成されている。この係止面１５ａは、ハウジング２１Ａに対する相対的な差し込み方向に対して鋭角をなし、抜き取り方向に対して鈍角をなすような傾斜面となっている。
【００４３】
一方、支持部４０Ａには、差し込まれた支持片１４Ａに対して係止可能な弾性係止片４５が設けられている。弾性係止片４５は、支持部４０Ａにおける連結壁４２Ａを部分的に切り欠くことで、後方へ向けて延びる片持ち状に形成され、上下に弾性変形可能とされる。この弾性係止片４５の先端部には、下方、つまり支持片差込空間４４Ａ内に張り出す係止部４６が設けられている。係止部４６の後面には、後傾したテーパ状のガイド面４６ａが形成され、これにより支持片１４Ａに対する弾性係止片４５の乗り上げ動作をガイド可能とされる。その一方、係止部４６の前面には、前傾したテーパ状の係止面４６ｂが形成されている。この係止面４６ｂは、支持片１４Ａに対する相対的な取り外し方向に対して鋭角をなし、取り付け方向に対して鈍角をなす傾斜面であり、支持片１４Ａ側の係止面１５ａとほぼ平行をなしている。このように、支持片１４Ａにおける係止孔１５と、支持部４０Ａにおける弾性係止片４５との係止構造は、いわゆるセミロック構造となっている。
【００４４】
ブラケット１０Ａにハウジング２１Ａを取り付けるにあたり、支持片１４Ａが支持部４０Ａの支持片差込空間４４Ａ内に差し込まれると、係止部４６のガイド面４６ａに支持片１４Ａの先端部が摺接されることで、弾性係止片４５には上向きの分力が作用し、もって弾性係止片４５が弾性変形させられて支持片１４Ａに乗り上げる。そして、支持片１４Ａが正規深さまで差し込まれたところで、図１０に示すように、係止部４６が係止孔１５内に進入し、弾性係止片４５が復元するとともに、互いの係止面１５ａ，４６ｂ同士が係止する。このように取付片１２及び取付部３２のロック構造（実施形態１の図７を参照）に加え、支持片１４Ａ及び支持部４０Ａのセミロック構造によってハウジング２１Ａがブラケット１０Ａに対して取付状態にしっかりと支持される。
【００４５】
一方、ハウジング２１Ａをブラケット１０Ａから取り外す際には、取付片１２及び取付部３２のロック構造の係止状態を解除しつつ、ブラケット１０Ａに対してハウジング２１Ａを相対的に前方（図１０の矢線Ａに示す方向）へ引っ張る。すると、支持片１４Ａ側の係止面１５ａから係止部４６側の係止面４６ｂに対して脱抜方向への力が作用するのに伴い、両係止面１５ａ，４６ｂの傾斜によって弾性係止片４５には上向き、つまり係止解除方向（図１０の矢線Ｂに示す方向）への分力が作用する。これにより、弾性係止片４５が弾性変形され、係止部４６と係止孔１５との係止状態が自動的に解除されて、ハウジング２１Ａの脱抜が許容される。このように、支持片１４Ａ及び支持部４０Ａのセミロック構造については、係止解除操作が不要となっている。
【００４６】
以上説明したように本実施形態によれば、支持部４０Ａには、支持片１４Ａに対して係止可能な弾性係止片４５が設けられ、この弾性係止片４５と支持片１４Ａ側との係止面１５ａ，４６ｂは、支持片１４Ａが差し込まれた状態から脱抜方向への力が作用したとき、弾性係止片４５に対して係止解除方向への分力が作用するような傾斜面として形成されているから、取付状態ではハウジング２１Ａをしっかりと支持することができるとともに、取り外し時には、脱抜方向への力を作用させることで弾性係止片４５の係止状態が自動的に解除され、取り外し作業性に優れる。
【００４７】
＜実施形態３＞
本発明の実施形態３を図１１ないし図１８によって説明する。この実施形態３では、支持部４０Ｂ及び支持片１４Ｂの構造を変更したものを示す。なお、この実施形態３では、上記した実施形態１と同じ名称の部位には、同一の符号を用いるとともにその末尾に添え字Ｂを付すものとし、構造、作用及び効果について重複する説明は省略する。
【００４８】
支持片１４Ｂは、図１１及び図１２に示すように、先端側部分が所定長さにわたって二股状に分岐して形成されている。言い換えると、支持片１４Ｂは、幅広な根元部１６の先端両側端位置から、幅狭な分岐部１７が一対前方へ延出して設けられた構成とされる。両分岐部１７間には、所定幅の逃がし空間１８が確保されている。基部１１Ｂの両側端位置に接続された両支持片１４Ｂは、中央の取付片１２Ｂよりも一段低い位置に配置されており、互いに上下にずれた位置関係となっている。また、両支持片１４Ｂは、取付片１２よりもやや前方へ突出している。
【００４９】
ハウジング２１Ｂにおける各不正嵌合規制部２７Ｂに形成された肉抜き孔２９Ｂは、図１２ないし図１４に示すように、後方へ開口する形態となっている。つまり、各不正嵌合規制部２７Ｂは、コネクタ嵌合部２３Ｂの上側の横壁２３ａＢから内向きに突出する前後方向に沿った両側壁４７と、両側壁４７の突出端同士を繋ぐとともに上記横壁２３ａＢとの間に隙間を空けて対向する連結壁４８と、横壁２３ａＢ、両側壁４７、及び連結壁４８の前端部同士を繋ぐ前壁４９とから構成され、全体として後方（相手コネクタＦに対する嵌合方向とは逆方向）へ開口する袋状に形成されている。また、不正嵌合規制部２７Ｂのうち連結壁４８は、端子収容部２４Ｂの嵌合面２４ａＢに連結されるとともに、その上面が端子収容部２４Ｂの上側の横壁２４ｂＢの外壁面と面一状をなしている。
【００５０】
そして、各不正嵌合規制部２７Ｂのうち、幅方向中央位置の隔壁３０Ｂに対して両側方位置にある各隔壁３１Ｂに隣接する不正嵌合規制部２７Ｂの肉抜き孔２９Ｂ内には、支持片１４Ｂが差し込み可能とされ、それによりその不正嵌合規制部２７Ｂがコネクタ嵌合部２３Ｂの横壁２３ａＢと共に支持部４０Ｂの前部を構成している。従って、支持部４０Ｂは、コネクタ嵌合部２３Ｂから上方に突出する形態の取付部３２Ｂよりも一段低い位置に配されており、互いに上下にずれた位置関係となっている。
【００５１】
詳しくは、両側方位置の隔壁３１Ｂを挟んだ位置に隣接してそれぞれ配される両不正嵌合規制部２７Ｂに形成された肉抜き孔２９Ｂには、後方から支持片１４Ｂの両分岐部１７がそれぞれ差し込み可能とされ、ここが支持片差込空間４４Ｂの前部を構成している。この支持片差込空間４４Ｂを構成する肉抜き孔２９Ｂの周壁は、不正嵌合規制部２７Ｂの両側壁４７及び連結壁４８と、コネクタ嵌合部２３Ｂの上側の横壁２３ａＢとにより構成され、これらの壁４７，４８，２３ａＢが支持部４０Ｂのうち、支持片１４Ｂの各分岐部１７を受ける前部となっている。
【００５２】
さらに、支持部４０Ｂは、図１１，図１２及び図１５に示すように、支持片１４Ｂのうち根元部１６を支持できるようコネクタ嵌合部２３Ｂから後方へ延出して形成されている。詳しくは、両不正嵌合規制部２７Ｂのうち隔壁３１Ｂ側とは反対側の両側壁４７と、コネクタ嵌合部２３Ｂの上側の横壁２３ａＢのうち上記両側壁４７の間の部分とが後方、つまり端子収容部２４Ｂ側へ延出されており、これらの延出部５０と、端子収容部２４Ｂの上側の横壁２４ｂＢとによって支持片１４Ｂのうち根元部１６を受けることが可能な支持部４０Ｂの後部が形成されている。この支持部４０Ｂの後部内の空間には、支持片１４Ｂのうち根元部１６が差し込み可能とされ、ここが支持片差込空間４４Ｂの後部となっている。この支持片差込空間４４Ｂの後部の底面は、端子収容部２４Ｂの上側の横壁２４ｂＢの外壁面とされ、前部の底面をなす連結壁４８の上面と面一状に（段差なく）連続している（図１４）。支持部４０Ｂの後部における幅寸法は、両不正嵌合規制部２７Ｂの幅寸法と、隔壁３１Ｂの厚み寸法と、隔壁３１Ｂと両不正嵌合規制部２７Ｂとの間の両隙間２８の幅寸法とを足し合わせた大きさとなっている（図１２）。また、支持部４０Ｂの後端位置は、取付部３２Ｂの後端位置よりもやや前寄りに設定されている。また、支持部４０Ｂにおける上側の外壁面は、コネクタ嵌合部２３Ｂの上側の外壁面と面一状をなしている。
【００５３】
ブラケット１０Ｂにハウジング２１Ｂを取り付ける際には、両支持片１４Ｂに両支持部４０Ｂを、取付片１２Ｂに取付部３２Ｂをそれぞれ幅方向について位置合わせしつつ、両支持片１４Ｂを端子収容部２４Ｂの上側の横壁２４ｂＢに宛い、その状態でハウジング２１Ｂをブラケット１０Ｂに対して相対的に後退させる。すると、端子収容部２４Ｂの上側の横壁２４ｂＢによって両支持片１４Ｂがガイドされ、対応する両支持片差込空間４４Ｂ内に円滑に差し込まれるとともに、取付片１２Ｂも取付片差込空間３６Ｂ内に円滑に差し込まれる。支持片１４Ｂの両分岐部１７が対応する両不正嵌合規制部２７Ｂの肉抜き孔２９Ｂ内に差し込まれる際には、支持片１４Ｂの逃がし空間１８によって隔壁３１Ｂ及び両不正嵌合規制部２７Ｂにおける隔壁３１Ｂ側の側壁４７が逃がされる。そして、支持片１４Ｂが正規深さまで差し込まれると、図１６ないし図１８に示すように、支持部４０Ｂの前部によって支持片１４Ｂの分岐部１７が、支持部４０Ｂの後部によって支持片１４Ｂの根元部１６がそれぞれ支持される。また、このとき取付片１２Ｂは、取付部３２Ｂによって抜け止め状態に保持される。
【００５４】
以上説明したように本実施形態によれば、不正嵌合規制部２７Ｂの肉抜き孔２９Ｂ内に支持片１４Ｂが差し込まれるとともに、その周壁２３ａＢ，２４ｂＢ，４７，４８，５０により支持部４０Ｂが構成されており、肉抜き孔２９Ｂの周壁２３ａＢ，２４ｂＢ，４７，４８，５０を支持部４０Ｂとして利用しているから、ハウジング２１Ｂに支持部４０Ｂを専用部位として設ける必要がなく、もってハウジング２１Ｂの構造の簡素化を図ることができる。
【００５５】
また、ハウジング２１Ｂには、コネクタ嵌合部２３Ｂが幅方向について複数並んで設けられるとともに、不正嵌合規制部２７Ｂが隣接する嵌合空間２２Ｂ同士を仕切る隔壁３１Ｂを挟んだ位置にそれぞれ配置され、それら不正嵌合規制部２７Ｂに設けられた各肉抜き孔２９Ｂ内に、隔壁３１などを逃がす逃がし空間１８を空けて二股状に形成された支持片１４Ｂが差し込まれるから、仮に１つの不正嵌合規制部２７Ｂの肉抜き孔２９Ｂのみを利用した場合と比較すると、隔壁３１Ｂを挟んで配置される各肉抜き孔２９Ｂにわたる幅広形状の支持片１４Ｂによってハウジング２１Ｂを支持することができ、取付部３２Ｂにかかる負荷を軽減するのに一層有効となる。
【００５６】
また、支持部４０Ｂが、支持片１４Ｂのうち逃がし空間１８よりも根元側の根元部１６を受けることができる長さ（延出部５０）を有しているから、仮に支持部によって支持片１４Ｂのうち分岐部１７のみを支持した場合と比較すると、支持片１４Ｂが変形し難く、しっかりとハウジング２１Ｂを支持することができる。
【００５７】
＜他の実施形態＞
本発明は上記記述及び図面によって説明した実施形態に限定されるものではなく、例えば次のような実施形態も本発明の技術的範囲に含まれる。
【００５８】
（１）上記した実施形態２では、支持部の弾性係止片と支持片の係止孔との双方の係止面を傾斜面とした場合を示したが、いずれか一方の係止面のみを傾斜面としてもよい。
【００５９】
（２）上記した実施形態２に記載した支持部及び支持片のセミロック構造について、上記した実施形態３に記載したコネクタにも勿論適用することが可能である。
【００６０】
（３）取付部や支持部の設置位置や設置数などは適宜に変更可能であり、それに応じてブラケット側の取付片や支持片の設置位置や設置数などを変更すればよい。その場合、取付部がハウジングの幅方向中央位置からずれた位置となっても構わない。また、取付部と両支持部との間隔が不等になっても構わない。さらには、支持部が取付部の側方位置に１つだけ設置される構成であったり、支持部が３つ以上設置される構成でも構わない。上記変更の結果、ブラケットやハウジングが非対称形状となっても構わない。
【００６１】
（４）上記した各実施形態では、取付部及び支持部が後方へ開口する場合を示したが、取付部及び支持部が前方または側方（幅方向に沿った方向）に開口する形態としたものも本発明に含まれる。
【００６２】
（５）上記した各実施形態では、取付部及び支持部がハウジングの外周壁のうち上側の横壁に設置された場合を示したが、ハウジングの下側の横壁に設置したものも本発明に含まれる。それ以外にも、取付部と支持部とがハウジングの外周壁における異なる壁面に設置されるものも本発明に含まれる。
【００６３】
（６）上記した各実施形態では、取付部のうちハウジングの外周壁（上側の横壁）と対向する位置にブラケットを抜け止めするための弾性係止片を設置した場合を示したが、取付部と対向するハウジングの外周壁側に弾性係止片を設置するようにしてもよい。また、ブラケットの取付片側に弾性係止片を設置し、ハウジングの取付部側に係止部を設置しても構わない。
【００６４】
（７）上記（６）以外のブラケットの抜け止め構造として、例えば、ブラケットの取付片とハウジングの取付部とをねじ部品によって締結するようにしてもよい。
【００６５】
（８）上記した各実施形態以外にも、ハウジングにおけるコネクタ嵌合部の設置数や設置位置などは適宜に変更可能である。
【００６６】
（９）上記した各実施形態では、電線の端末に接続された端子金具が収容されるキャビティを備えたハウジングを示したが、ハウジングに端子金具がインサートされるものや、ハウジングに端子金具が圧入保持される圧入溝が備えられたもの（いわゆる中継コネクタ）にも本発明は適用可能である。
【００６７】
（１０）上記した各実施形態では、雌型の相手コネクタと嵌合される雄型のコネクタを例示したが、雄型の相手コネクタと嵌合される雌型のコネクタについても本発明は適用可能である。
【００６８】
（１１）上記した各実施形態では、端子金具を収容するハウジングが直接ブラケットに取り付けられる場合を示したが、例えば端子金具を収容するハウジングがフレームに取り付けられ、そのフレームがブラケットに取り付けられるものにも本発明は適用可能である。その場合、フレームがハウジングの一部を構成するとともに取付部及び支持部を備えることになる。
【図面の簡単な説明】
【００６９】
【図１】本発明の実施形態１に係るブラケットとコネクタの斜視図
【図２】ブラケットにコネクタを取り付ける前の状態を示す一部切欠平面図
【図３】ハウジングの正面図
【図４】ブラケットにコネクタを取り付ける前の状態を示す図３のＡ−Ａ線断面図
【図５】ブラケットにコネクタを取り付ける前の状態を示す図３のＢ−Ｂ線断面図
【図６】ブラケットにコネクタを取り付けた状態を示す一部切欠平面図
【図７】ブラケットにコネクタを取り付けた状態を示す図３のＡ−Ａ線断面図
【図８】ブラケットにコネクタを取り付けた状態を示す図３のＢ−Ｂ線断面図
【図９】本発明の実施形態２に係るブラケットの支持片とハウジングの支持部を示す図３のＢ−Ｂ線断面図
【図１０】支持片が支持部内に差し込まれた状態を示す図３のＢ−Ｂ線断面図
【図１１】本発明の実施形態３に係るブラケットとコネクタの斜視図
【図１２】ブラケットにコネクタを取り付ける前の状態を示す一部切欠平面図
【図１３】ハウジングの正面図
【図１４】ブラケットにコネクタを取り付ける前の状態を示す図３のＣ−Ｃ線断面図
【図１５】ブラケットにコネクタを取り付ける前の状態を示す図３のＤ−Ｄ線断面図
【図１６】ブラケットにコネクタを取り付けた状態を示す一部切欠平面図
【図１７】ブラケットにコネクタを取り付けた状態を示す図３のＣ−Ｃ線断面図
【図１８】ブラケットにコネクタを取り付けた状態を示す図３のＤ−Ｄ線断面図
【符号の説明】
【００７０】
１０，１０Ａ，１０Ｂ…ブラケット
１２，１２Ｂ…取付片
１４，１４Ａ，１４Ｂ…支持片
１５ａ…係止面
１６…根元部（根元側部分）
１８…逃がし空間
２０…コネクタ
２１，２１Ａ，２１Ｂ…ハウジング（コネクタハウジング）
２１ａ…横壁（外壁面）
２２Ｂ…嵌合空間
２３Ｂ…コネクタ嵌合部
２３ａＢ…横壁（周壁）
２４ｂＢ…横壁（周壁）
２７Ｂ…不正嵌合規制部
２９Ｂ…肉抜き孔
３１Ｂ…隔壁
３２，３２Ｂ…取付部
４０，４０Ａ，４０Ｂ…支持部
４５…弾性係止片
４６ｂ…係止面
４７…側壁（周壁）
４８…連結壁（周壁）
５０…延出部（周壁）
Ｆ…相手コネクタ
【図１】
2008300285.tif 000003
【図２】
2008300285.tif 000004
【図３】
2008300285.tif 000005
【図４】
2008300285.tif 000006
【図５】
2008300285.tif 000007
【図６】
2008300285.tif 000008
【図７】
2008300285.tif 000009
【図８】
2008300285.tif 000010
【図９】
2008300285.tif 000011
【図１０】
2008300285.tif 000012
【図１１】
2008300285.tif 000013
【図１２】
2008300285.tif 000014
【図１３】
2008300285.tif 000015
【図１４】
2008300285.tif 000016
【図１５】
2008300285.tif 000017
【図１６】
2008300285.tif 000018
【図１７】
2008300285.tif 000019
【図１８】
2008300285.tif 000020